【事件の表示】
　特願２００５−２１８９３９「プラズマディスプレイモジュール用のシャーシ構造及びこれを備えたプラズマディスプレイモジュール」拒絶査定不服審判事件〔平成１８年　６月２９日出願公開、特開２００６−１７１６８７〕について、次のとおり審決する。
【結　論】
　本件審判の請求は、成り立たない。
【理　由】
第１　手続の経緯及び本願発明の認定
　本願は平成１７年（２００５年）７月２８日（パリ条約による優先権主張　２００４年１２月１０日、韓国）の出願であって、平成１９年６月１５日付けで拒絶理由が通知され、同年１０月１５日付けで意見書及び手続補正書が提出されたが、同年１０月３０日付けで拒絶査定がなされたため、これを不服として平成２０年２月４日付けで本件審判請求がなされたものである。
　したがって、本願の請求項１に係る発明（以下、「本願発明」という。）は、平成１９年１０月１５日付けの手続補正により補正された特許請求の範囲の請求項１に記載された事項によって特定される次のとおりのものと認める。
　
「プラズマディスプレイパネルと、
　前記プラズマディスプレイパネルを駆動する回路基板と、
　前記プラズマディスプレイパネルを支持する前面プレートと、
　前記回路基板を支持し、前記前面プレートと所定の距離ほど離隔されて設置された背面プレートと、
　前記前面プレートと前記背面プレートとの間に位置し、屈曲された断面を有し、一部の面が前記前面プレートと前記背面プレートとに接触しつつ、前記前面プレートと前記背面プレートとの間に空気が流動可能に形成された放熱部材と備えるプラズマディスプレイモジュールであり、
　前記背面プレートは、前記回路基板を固定するためのホールを備え、
　前記回路基板を前記背面プレートに固定することは、一端が前記回路基板に装着され、他端は、前記背面プレートに形成されたホールを通過し、前記前面プレートと前記背面プレートとの間の空間に位置する連結手段によりなされることを特徴とするプラズマディスプレイモジュール。」　
　
　
第２　当審の判断
１　引用刊行物の記載事項
　原査定の拒絶理由に引用され、本願の優先日前に頒布された刊行物である特開平９−１９９０４０号公報（以下、「引用例１」という。）には、以下のアないしオの記載が図示とともにある。
　
ア　「【請求項１】  縦横に面状に配された多数の放電セルを含む湾曲パネル状の本体と、前記本体の裏面に接合された放熱部材とを備え、前記放熱部材が、互いに間隔をおいて配置された多数の放熱部と、前記放熱部を熱伝達可能に連結する接合面部とを有し、前記接合面部が、前記放熱部間で可撓性を有することにより、前記本体裏面の湾曲に沿うようになっている、プラズマディスプレイパネル。」　
　
イ　「【０００１】
【発明の属する技術分野】本発明は、プラズマディスプレイパネル、その製造方法およびディスプレイ装置に関する。」
　
ウ　「【０００７】本発明は、プラズマディスプレイパネルの放熱性を向上させて、温度上昇による上記問題を防止し、また、ファン数の低減またはファンの不設置を図ることにある。」
　
エ　「【００３９】以下に、本発明を、その実施形態を模式的に表す説明図を参照しながら説明する。
−第１実施形態−
図１に概略的に示すプラズマディスプレイパネル１０は、ＤＣ型のカラープラズマディスプレイパネルであり、２６インチ型のディスプレイ装置に用いられるものである。
【００４０】プラズマディスプレイパネル１０は、本体１と放熱部材２とを備えている。本体１は、図示されていないが、２枚のガラス基板の間に縦横に面状に配された多数の放電セルを形成してなり、厚み５．５mm程度である。本体１は、また、図示されていないが、これを駆動する電気回路と放電セルの電極とを電気的に接続する複数のフレキシブル回路も有している。フレキシブル回路は、テープ状であり、本体１の周端面から外部に出ており、互いに間隔をあけて配置されている。駆動用の電気回路はフレキシブル回路を折り曲げてパネル１０の側面に沿わせたり、あるいは、本体裏面１１に重ね合わされたりする。」
　
オ　「【００４８】（中略）
−第２実施形態−
図３に示すプラズマディスプレイパネル１０は、前記第１実施形態と基本的な構造は共通するが、放熱部材の構造が異なる。
【００４９】放熱部材３は、本体１の裏面の湾曲に沿った形状に湾曲した可撓性面状体３１と多数の伝熱面部３４とを有する。伝熱面部３４は、薄板状の平板３２と薄い波板３３を有し、可撓性面状体３１上面に固定され、間隔をおいて配置されている。平板３２は、可撓性面状体３１に平行またはほぼ平行に配置されている。可撓性面状体３１、平板３２および波板３３は何れもアルミ材からなり、溶接あるいは接着により接合されている。波板３３の波形状と、可撓性面状体３１および平板３２との間には放熱路Ｈが構成される。放熱路Ｈがパネル１０の上下方向に配置されるように波板３３を配置している。可撓性面状体３１は、また、可撓性を有する高配向性のグラファイトフィルム（たとえば、比重０．５〜１．５のグラファイト）からなっていてもよい。
【００５０】このような可撓性面状体３１、平板３２および波板３３からなる放熱部材３は、比較的簡単な構造で加工製造が容易であるとともに、表面積が大きく放熱路Ｈも十分にあるので放熱性に優れている。放熱部材２、３の代わりに、伝熱面部がハニカムとして形成された放熱部材を使うことが可能である。材質は何れもアルミニウムなどの金属であり、溶接あるいは接着により接合されている。また、放熱部材を金属に代えて高配向性グラファイトで作ってもよい。」
　
２　引用例１に記載された発明の認定
　上記記載事項アないしオから、引用例１には次の発明が記載されていると認めることができる。
　
「縦横に面状に配された多数の放電セルを含む湾曲パネル状の本体と、前記本体の裏面に接合された放熱部材とを備え、
前記本体は、前記本体を駆動する駆動用の電気回路を有し、
前記駆動用の電気回路は、前記本体の裏面に重ね合わされ、
前記放熱部材が、前記本体の裏面の湾曲に沿った形状に湾曲した可撓性面状体と多数の伝熱面部とを有し、
前記伝熱面部は、薄板状の平板と薄い波板を有し、前記可撓性面状体上面に固定され、
前記平板は、前記可撓性面状体に平行またはほぼ平行に配置され、
前記可撓性面状体、前記平板および前記波板は何れもアルミ材からなり、溶接あるいは接着により接合され、
前記波板の波形状と、前記可撓性面状体および前記平板との間には放熱路が構成される、プラズマディスプレイパネル。」（以下、「引用発明１」という。）
　
３　本願発明と引用発明１の一致点及び相違点の認定
（１）引用発明１の「プラズマディスプレイパネル」の「縦横に面状に配された多数の放電セルを含む湾曲パネル状の本体」は、本願発明の「プラズマディスプレイパネル」に相当する。
　
（２）引用発明１の「前記本体を駆動する駆動用の電気回路」と本願発明の「前記プラズマディスプレイパネルを駆動する回路基板」とは、「前記プラズマディスプレイパネルを駆動する回路」である点で一致する。
　
（３）引用発明１の「前記本体の裏面の湾曲に沿った形状に湾曲した可撓性面状体」は、本願発明の「前記プラズマディスプレイパネルを支持する前面プレート」に相当する。
　また、引用発明１の「前記可撓性面状体に平行またはほぼ平行に配置され」た「平板」と本願発明の「前記回路基板を支持し、前記前面プレートと所定の距離ほど離隔されて設置された背面プレート」とは、「前記前面プレートと所定の距離ほど離隔されて設置された背面プレート」である点で一致する。
　
（４）引用発明１の「可撓性面状体」及び「平板」と「接合され」、かつ、「前記可撓性面状体および前記平板との間に」「放熱路」を「構成」する「薄い波板」は、本願発明の「前記前面プレートと前記背面プレートとの間に位置し、屈曲された断面を有し、一部の面が前記前面プレートと前記背面プレートとに接触しつつ、前記前面プレートと前記背面プレートとの間に空気が流動可能に形成された放熱部材」に相当する。
　
（５）引用発明１の「プラズマディスプレイパネル」は、本願発明の「プラズマディスプレイモジュール」に相当する。
　
（６）したがって、本願発明と引用発明１とは、
　
「プラズマディスプレイパネルと、
　前記プラズマディスプレイパネルを駆動する回路と、
　前記プラズマディスプレイパネルを支持する前面プレートと、
　前記前面プレートと所定の距離ほど離隔されて設置された背面プレートと、
　前記前面プレートと前記背面プレートとの間に位置し、屈曲された断面を有し、一部の面が前記前面プレートと前記背面プレートとに接触しつつ、前記前面プレートと前記背面プレートとの間に空気が流動可能に形成された放熱部材と備えるプラズマディスプレイモジュール。」
　
である点で一致し、以下の点で相違する。
　
〈相違点〉
　本願発明では、「プラズマディスプレイパネルを駆動する回路」は「回路基板」に形成され、前記「回路基板」は、「一端が前記回路基板に装着され、他端は、前記背面プレートに形成されたホールを通過し、前記前面プレートと前記背面プレートとの間の空間に位置する連結手段により」「前記背面プレートに固定」されるのに対し、引用発明１の「前記本体を駆動する駆動用の電気回路」にはそのような限定がない点。
　
４　相違点についての判断及び本願発明の進歩性の判断
（１）相違点についての判断
　プラズマディスプレイパネル（ＰＤＰ）搭載のディスプレイ装置の分野において、プラズマディスプレイパネルを駆動する回路板を前記プラズマディスプレイパネルの背面に配置する際、一端が前記回路板に装着され、他端が前記プラズマディスプレイパネルの背面に前記プラズマディスプレイパネルから空間をあけて配置されたシャーシ板に形成された穴を通過して前記シャーシ板の前面の前記空間に位置する連結部材により、前記回路板を前記シャーシ板に固定することは、本願の優先日当時において当業者に周知の技術的事項である（例えば、原査定の拒絶理由に引用された特開平１１−３０５６７５号公報（段落【０００８】、図１等）や、特開平１１−２８４９３６号公報（段落【０００２】、図２等）を参照。例えば、特開平１１−３０５６７５号公報において回路板をシャーシ板にネジ止めするネジが、上記周知技術の連結部材に相当する。）
　そして、引用発明１の上記周知技術とは、プラズマディスプレイパネル（ＰＤＰ）搭載のディスプレイ装置の分野に属する点で共通し、引用発明１の「平板」と上記周知技術のシャーシ板とは、プラズマディスプレイパネルの背面に前記プラズマディスプレイパネルから空間をあけて配置された部材である点で共通する。
　すると、上記周知技術に基づいて、引用発明１の「前記本体の裏面に重ね合わされ」る「前記本体を駆動する駆動用の電気回路」を引用発明１の「前記本体の裏面」に配置される回路板とするとともに、一端が前記回路板に装着され、他端が引用発明１の「前記本体の裏面」に前記「前記本体」から「放熱路」をあけて配置された「平板」に形成された穴を通過して前記「平板」の前面の前記「放熱路」に位置する連結部材により、前記回路板を前記「平板」に固定することは、当業者にとって容易に想到し得る。
　したがって、引用発明１に上記相違点に係る本願発明の発明特定事項を採用することは当業者にとって想到容易である。
　
（２）本願発明の進歩性の判断
　以上検討したとおり、引用発明１に上記相違点に係る本願発明の発明特定事項を採用することは当業者にとって想到容易である。
　また、本願発明の効果も、引用例１に記載された発明及び周知技術から当業者が予測し得る程度のものである。
　したがって、本願の請求項１に係る発明は引用例１に記載された発明及び周知技術に基づいて当業者が容易に発明をすることができたものである。
　
５　むすび
　以上のとおり、本願発明は引用例１に記載された発明及び周知技術に基づいて当業者が容易に発明をすることができたものであるから、本願発明は特許法第２９条第２項の規定により特許を受けることができない。
　そして、本願発明が特許を受けることができない以上、本願のその余の請求項に係る発明について検討するまでもなく、本願は、拒絶されるべきものである。
　よって、結論のとおり審決する。